(57)【特許請求の範囲】
【請求項１】
パソコン上でのＣＡＤシステムであり、
仕上げ、建具等に関するものとして、市販の３Ｄ−ＣＡＤソフトをそのまま利用することが可能である建築系３Ｄ−ＣＡＤシステムとＤＢ（データベース）との組み合わせからなる建築ＤＢ−ＣＡＤと、
機器・器具、配管・ダクト・配線等に関するものとして、設備図作成用のＣＡＤのソフトを内蔵するパソコンとＤＢ（データベース）との組み合わせからなる設備ＤＢ−ＣＡＤと、
柱、梁、スラブ等に関するものとして、３次元建物モデルを中心に、一方では図面ＣＡＤとして機能し、他方でＤＢ（データベース）と統合的にリンクする構造ＤＢ−ＣＡＤの３つのＤＢ−ＣＡＤからなるデータベースＣＡＤシステムにおいて、
設備ＤＢ−ＣＡＤから建築ＤＢ−ＣＡＤには、設備３Ｄ情報（設備の立体的な情報）を与え、建築ＤＢ−ＣＡＤから設備ＤＢ−ＣＡＤには、設備部材と柱、梁、壁、天井等の建築部材との３Ｄ干渉情報を返し、また、設備図面作成のためのプラン情報（平面図や室エリアや室名称や天井高、床高）や建物形状情報、建物部材情報、建物断面情報等の躯体情報を与える、建築ＤＢ−ＣＡＤと設備ＤＢ−ＣＡＤ間の情報往来手段と、
構造ＤＢ−ＣＡＤから設備ＤＢ−ＣＡＤには建物形状情報、建物部材情報、建物断面情報等の躯体情報を与え、設備ＤＢ−ＣＡＤから構造ＤＢ−ＣＡＤには前記躯体情報に対して穴をあける位置等の躯体開口（スリーブ）情報を返す、構造ＤＢ−ＣＡＤと設備ＤＢ−ＣＡＤ間の情報往来手段と、
建築ＤＢ−ＣＡＤと構造ＤＢ−ＣＡＤ間では、建物形状情報、建物部材情報、建物断面情報等の躯体情報の往来を行なう建築ＤＢ−ＣＡＤと構造ＤＢ−ＣＡＤ間の情報往来手段とを設け、
前記建築ＤＢ−ＣＡＤには、
設備ＤＢ−ＣＡＤから取り込まれた設備部材と建築部材の干渉を自動的に判断する手段と、
構造ＤＢ−ＣＡＤから取り込まれた躯体情報と建築ＤＢ−ＣＡＤで作成された躯体情報を重ね合わせて表示する手段を設け、
前記構造ＤＢ−ＣＡＤには、
建築ＤＢ−ＣＡＤから取り込まれた躯体情報と構造ＤＢ−ＣＡＤで作成された躯体情報を重ね合わせて表示する手段
を設けたことを特徴とした統合データベースＣＡＤシステム。
【発明の詳細な説明】
【０００１】
【発明の属する技術分野】
本発明は、パソコン上でのＣＡＤシステムを利用して、数量の把握とデータの共有ができ、また、ＣＡＤと仕様・数量が一元化され、設計情報から見積り・施工情報までのデータの流れを一元化でき、設計図書作成の効率化等業務の効率化・省力化および生産性・品質の向上を目指すことができるデータベースＣＡＤシステムとして、建築・設備・構造と３つのＤＢ−ＣＡＤの連携・統合を可能とした統合データベースＣＡＤシステムに関するものである。
【０００２】
【従来の技術】
建築生産の情報としての絵柄（図面）情報は従来「紙」による伝達形態が一般的であった。これに対して近年建築生産の各領域における情報化の進捗に伴いＣＡＤの利用が盛んでその当面の目的は作図効率の向上および図面表現の質の向上にある。このようにＣＡＤの利用範囲は目的からして、設計或いは施工各プロパーの領域内に留まっているのが大半である。
【０００３】
８０年代から９０年代のはじめにかけて、ゼネコンをはじめとした多くの企業で「設計施工一貫ＣＡＤ」の開発が行なわれ、それらに共通する特徴としては、（１）ミニコンやＥＷＳをベースとして利用したものであり、（２）各社がそれぞれ別個に属性のパラメータを作り込んだもので、（３）数量拾い・集計などはそのシステム内で完結しておこなわれ、（４）主に実施設計段階以降を利用範囲としており、（５）オペレータが操作を行うものである。
【０００４】
しかしながら、ＣＡＤ情報をはじめとする電子情報化の最大の効用はデータの転用性にあることに着目し、その特性を生かして建築生産の効率化を進展させるためにはプロジェクトの初期段階で発生する設計情報を生産の各段階に沿って、データ交換しつつ流通させていく試みもなされている。
【０００５】
例えば、出願人が先に特願平２０００−５２７３１号として出願した建築系３Ｄ−ＣＡＤシステムは、図３２に示すように、市販の３Ｄ−ＣＡＤソフトをそのまま利用することが可能である建築系３Ｄ−ＣＡＤシステム１と、独自のＤＢ（データベース）２とを相互インターフェース４で結び、また、独自のＤＢ２と見積りシステム・発注システム・施工図作成システム等関連システム３をインターフェース５で結び、パソコン上での建築系３Ｄ−ＣＡＤ１を利用して、関連システムにおける企画から基本・実施にわたる設計作業や、見積り・発注業務や、および施工図作成業務との直接的なリンクが図れるようにした。
【０００６】
このように設計者が建築系３Ｄ−ＣＡＤ１を利用して、設計業務を進めて行くことにより、結果として建具や仕上げデータを独自のＤＢ２に蓄積し、独自のＤＢ２から必要な部分を抽出して見積り、発注、施工図作成等に利用する。
【０００７】
ＣＡＤと外部ＤＢとのデータのやり取りは普通、ＣＳＶ（ｃｏｍｍａ  ｓｅｐａｒａｔｅｄ  ｖａｌｕｅ）形式でテキストデータに変換して行なわれるが、前記インターフェース４としては、特定ソフトのＡｃｃｅｓｓ  Ｌｉｎｋ機能を利用して、建築系３Ｄ−ＣＡＤ１のＣＡＤ内ＤＢから独自のＤＢ２に直接書き出し／読み取りを行うものとした。
【０００８】
このようにして、パソコン上での建築系３Ｄ−ＣＡＤ１の属性機能を利用して関連システム３における企画から基本・実施にわたる設計作業と、見積り・発注業務および施工図作成業務との直接的なリンクを図る。すなわち、前記独自のＤＢ２に蓄積された開口部・仕上げ等のデータは、設計部内での各種概算システムや建具表・仕上げ表に出力されるほか、下流側の見積り・施工部署での各種システムに利用される。
【０００９】
設計モデルから、ＲＣ属性を持った部分を取り出すことで、スケルトン図作成モデルとして利用することができるが、この建築系３Ｄ−ＣＡＤシステムにおいて、オブジェクトが持つ属性の効果は、独自のＤＢと連動することで、柱・梁・開口部などの建築要素が集積され、面積・仕様などの様々な属性が独自のＤＢ内に蓄積される。そのため、設計の各段階に応じたモデルが作成されると、同時に床面積や壁、天井などの仕上げ面積、部品の数量さらには概算などが把握できる。設計者はそれらを見ながら顧客のニーズにあった合理的な設計を進めることができる。一方、見積り・積算部署では、それらの数値データを有効に利用することができる。見積りシステムに直接インプットする他、積算事務所からのデータチェックにも利用することができる。
【００１０】
また、出願人が先に特願平２０００−２２３７６４号として出願した設備系ＤＢ−ＣＡＤシステムは、図３３に示すように、設備図作成用のＣＡＤ６のソフトを内蔵するパソコン７と独自のＤＢ（データベース）２との組み合わせからなり、建築設備分野の上流にあたる設計図から下流となる施工図・竣工図、見積書等の作成を支援するシステムである。
【００１１】
パソコン７から機器・器具の仕様を入力・蓄積し、設計図の図形情報と独自のＤＢ２の機器・器具情報を関連付けして、設計図から機器・器具の配置情報、資機材の数量情報、設備開口情報のいずれか１つまたは複数を独自のＤＢ２に出力し、図面用、スペック用、見積用、施工用データのいずれか１つまたは複数のデータを取り出す。
【００１２】
さらに、機器・器具の仕様・配置・数量の情報、資機材の数量情報は文字系の情報として、精算見積システムに渡し、設計図は絵柄（図面）情報として施工図・竣工図への転用を行う。
【００１３】
また、独自のＤＢ２は、ＪＯＢ登録機能、機器・器具仕様登録編集機能、各種出力データ作成機能を有し、設備図作成用のＣＡＤ６は独自のＤＢ２に登録された機器・器具仕様情報を参照する機能、独自のＤＢに登録された機器・器具とシンボルのリンク付け機能、機器・器具の配置情報の独自のＤＢへの吐出し機能、設備開口情報の独自のＤＢへの吐出し機能、資機材数量吐出し機能と数量吐出しに必要な属性付加機能を有する。
【００１４】
この設備系ＤＢ−ＣＡＤシステムは、それぞれの設計図から施工図が簡単に作れ、積算が省力化でき、部材の適正な発注管理ができ、また、従来に比べて速やかに施工計画に着手できるもので、機器表・器具表と図面上の数量の整合性が確保でき、また、多様な機器表表現（システムフローに沿った機器表作成）が可能で、設計における数量認識（コスト意識）の向上が得られるので設計品質が向上する。
【００１５】
さらに、構造系ＤＢ−ＣＡＤシステムとしては、特願平９−１８８９６５号として出願し、特許第３０９４２１１号として特許になったものがあり、図３４に示すように、構造ＤＢ（データベース）−ＣＡＤ８は３次元建物モデルを中心に、一方では図面ＣＡＤとして機能し、他方でデータベースと統合的にリンクする。具体的には、ＣＡＤで図面を作成すると、自動的に建物モデルを介して図面情報が文字データとして躯体ＤＢに収納され、逆に躯体ＤＢのデータが変更されれば自動的に図面に反映される。
【００１６】
構造ＤＢ−ＣＡＤ８への入力データ内容の構造設計情報の内、建物の一般情報、材料に関する情報、部材断面情報は、入力時にＡＣＣＥＳＳファイルとして保管される。一方建物形状、部材の配置に関する情報は、入力操作時にはＣＡＤの３次元モデルとして保持される。入力操作時に配置情報をＣＡＤの内部に保持することにより、伏図・軸組図間の情報共用による整合が実用的なレベルのレスポンスで実現できる。
【００１７】
この構造系ＤＢ−ＣＡＤシステムでは、構造設計情報の内、建物の一般情報、材料に関する情報、部材断面情報は、入力時に特定形式のファイルとして保管され、一方、建物形状、部材の配置に関する情報は、入力時にはＣＡＤの３次元モデルとして保管されるデータベースと、外部システムとの連携時には前記ＣＡＤデータとして保管されている情報を一括処理によって前記特定形式のファイルに掃き出すＣＡＤとを備え、構造設計情報全体が一定の形式に統一される。
【００１８】
この構造系ＤＢ−ＣＡＤシステムによれば、構造設計部門では３次元ＣＡＤである本システムの特定形式のファイルによる躯体データベースＣＡＤの活用により構造設計情報を一元化し、設計業務の効率化を追求することができる。また、設計段階では、計画結果が躯体データベースに自動入力され、これにより構造計算、構造図の元データが発生できる。躯体データベースを介して構造設計の各種図面、構造計算の整合が自動的に取れるので、設計業務の効率化が図れる。
【００１９】
出力図としては、伏図、軸組図（自動作成）、鉄筋詳細図（自動作成）があり、他にも、鉄骨詳細図（自動作成）、断面リスト（半自動作成）、躯体ＤＢ出力があり、各種混在図面を作成するためのレイアウト機能も用意されている。
【００２０】
【発明が解決しようとする課題】
ところで、設計において建築・構造・設備情報の整合性をとる必要があるが、これらの建築・構造・設備のＣＡＤシステムが１本化されず、普及に至らなかったのは、ハード／ソフトのリース費、メンテナンス費等ＣＡＤシステムが高価であったことや、施工現場にはＣＡＤが普及していなかったため、データの受け皿がなかったこと、さらに見積り積算は手拾いで行なわれる事が多く、下流での電子データの利用が行なわれなかったこと、オペレータはＣＡＤの操作だけでなく、実施設計図と施工図作成の両方に深い知識が必要だったこと、即ち、ＣＡＤの操作に習熟した若手が納まり他、施工順序などにも習熟する必要があったことなどが原因であるが、さらに下記の要因が考えられる。
【００２１】
ＤＷＧやＤＸＦ形式による絵柄データの交換のみであり、属性が無いデータの交換に終始している。また、２次元が主体であり、変換による化けの現象の修正の手間がかかり、絵柄データの２次元での重ね合せによる整合性のチェックが困難である。
【００２２】
このように、異なるＣＡＤソフト間でのデータのやり取りは、絵柄情報しかやり取りできないのが普通である。まして、三次元情報となると高さを無視した平面的な情報しかやり取りできない場合がほとんどである。その結果、一つの建物を設計しているにもかかわらず、たとえば躯体の情報一つをとっても、建築・構造・設備で同じ情報として共有できないという不都合があった。
【００２３】
本発明の目的は前記従来例の不都合を解消し、建築・構造・設備の３系のＤＢ−ＣＡＤによるデータ連携を行うＣＡＤの情報連携機能を開発することにより、過去において図面の重ね合わせによる確認という技術者の勘と経験に頼った俗人的なものだったのに対して、形状データと仕様情報の干渉チェックによる整合不整合によって論理的解決を導くための客観的なデータを作成することで、情報が一元化され、整合がおのずから取れる、あるいは照合の作業の効率化が図られることにより整合性が高まる効果が期待できる統合データベースＣＡＤシステムを提供することにある。
【００２４】
【課題を解決するための手段】
本発明は前記目的を達成するため、第１に、パソコン上でのＣＡＤシステムであり、
仕上げ、建具等に関するものとして、市販の３Ｄ−ＣＡＤソフトをそのまま利用することが可能である建築系３Ｄ−ＣＡＤシステムとＤＢ（データベース）との組み合わせからなる建築ＤＢ−ＣＡＤと、
機器・器具、配管・ダクト・配線等に関するものとして、設備図作成用のＣＡＤのソフトを内蔵するパソコンとＤＢ（データベース）との組み合わせからなる設備ＤＢ−ＣＡＤと、
柱、梁、スラブ等に関するものとして、３次元建物モデルを中心に、一方では図面ＣＡＤとして機能し、他方でＤＢ（データベース）と統合的にリンクする構造ＤＢ−ＣＡＤの３つのＤＢ−ＣＡＤからなるデータベースＣＡＤシステムにおいて、
設備ＤＢ−ＣＡＤから建築ＤＢ−ＣＡＤには、設備３Ｄ情報（設備の立体的な情報）を与え、建築ＤＢ−ＣＡＤから設備ＤＢ−ＣＡＤには、設備部材と柱、梁、壁、天井等の建築部材との３Ｄ干渉情報を返し、また、設備図面作成のためのプラン情報（平面図や室エリアや室名称や天井高、床高）や建物形状情報、建物部材情報、建物断面情報等の躯体情報を与える、建築ＤＢ−ＣＡＤと設備ＤＢ−ＣＡＤ間の情報往来手段と、
構造ＤＢ−ＣＡＤから設備ＤＢ−ＣＡＤには建物形状情報、建物部材情報、建物断面情報等の躯体情報を与え、設備ＤＢ−ＣＡＤから構造ＤＢ−ＣＡＤには前記躯体情報に対して穴をあける位置等の躯体開口（スリーブ）情報を返す、構造ＤＢ−ＣＡＤと設備ＤＢ−ＣＡＤ間の情報往来手段と、
建築ＤＢ−ＣＡＤと構造ＤＢ−ＣＡＤ間では、建物形状情報、建物部材情報、建物断面情報等の躯体情報の往来を行なう建築ＤＢ−ＣＡＤと構造ＤＢ−ＣＡＤ間の情報往来手段とを設け、
前記建築ＤＢ−ＣＡＤには、
設備ＤＢ−ＣＡＤから取り込まれた設備部材と建築部材の干渉を自動的に判断する手段と、
構造ＤＢ−ＣＡＤから取り込まれた躯体情報と建築ＤＢ−ＣＡＤで作成された躯体情報を重ね合わせて表示する手段を設け、
前記構造ＤＢ−ＣＡＤには、
建築ＤＢ−ＣＡＤから取り込まれた躯体情報と構造ＤＢ−ＣＡＤで作成された躯体情報を重ね合わせて表示する手段
を設けたことを要旨とするものである。
【００２５】
第２に、異なるＣＡＤソフト間でのデータ連携を実現するためのものであり、文字情報（ＤＢ情報）で記述したデータをやり取りして、属性付き３次元のデータ交換する手段と、読み込むＣＡＤ側ではその情報をもとに属性・絵柄を再現する再現手段を設けたことを要旨とするものである。
【００２６】
本発明によれば、異なるＣＡＤソフト間でのデータ連携を実現するためのものであり、整合性の確保・データの一元化を行い、３次元重ね合せの手段となり、そのために、文字情報（ＤＢ情報）で記述したデータをやり取りして、属性付き３次元のデータ交換を実現し、読み込むＣＡＤ側ではその情報をもとに属性・絵柄を再現する方法で、情報の取り込みと整合の確保を図ることができる。
【００２７】
本発明において、仕様・数量が一元化され、設計情報から見積・施工情報までのデータの流れを一元化できることは、データのやり取りにより不整合部分を人が確認・修正して、仕様・数量・位置形状情報の不整合をなくし、整合のとれた設計情報から見積・施工情報までのデータの流れを一元化できることを意味する。
【００２８】
過去において図面の重ね合わせによる確認という技術者の勘と経験に頼った俗人的なものだったのに対して、形状データと仕様情報の干渉チェックによる整合不整合によって論理的解決を導くための客観的なデータを作成することが可能になった。
【００２９】
建築−構造では、躯体の整合性の確保ができ、建築−設備では、設備内容と建築プランの整合性の確認と確保と、作図開始時の建築プランの再現が可能となり、構造−設備では、作図開始時の躯体の再現と躯体開口情報の構造への戻しができる。
【００３０】
【発明の実施の形態】
以下、図面について発明の実施の形態を説明する。図１は本発明の統合データベースＣＡＤシステムの１実施形態を示す情報の流れを示す説明図、図２は同上概念説明図である。
【００３１】
図中１０は建築ＤＢ（データベース）−ＣＡＤ、１１は設備ＤＢ−ＣＡＤ、１２は構造ＤＢ−ＣＡＤで、これらは先に説明したようにそれぞれパソコン７上でのＣＡＤシムテム（建築系３Ｄ−ＣＡＤ１、設備図作成用のＣＡＤ７、構造３Ｄ−ＣＡＤ８）を利用して独自のＤＢ２との連携で、独自の方法で数量の把握とデータの共有ができ、また、ＣＡＤと仕様・数量が一元化され、設計情報から見積り・施工情報までのデータの流れを一元化でき、設計図書作成の効率化等業務の効率化・省力化および生産性・品質の向上を目指すことができるものである。
【００３２】
本発明はこのような仕上げ、建具に関する建築ＤＢ−ＣＡＤ１０と、機器・器具、配管・ダクト・配線等に関する設備ＤＢ−ＣＡＤ１１と、柱、梁、スラブに関する構造ＤＢ−ＣＡＤ１２の３つのＤＢ−ＣＡＤの相互を連携させる。
【００３３】
かかる連携では、属性データの取り扱いがキーポイントとなる。例えば、柱の構成では４本の線分が集まり四角形として人の目で見た場合には柱の機能だと理解できるが、ＣＡＤ上では線の集合に過ぎず、または、単に四角形でしかなかったりする。本発明では、ＣＡＤとして属性を持たせ柱の種類、材料、大きさ等が判別できるようにするものである。
【００３４】
データベースの中からそれぞれのオブジェクト１個１個をいかに読み替えるのかであるが、これは通芯情報を中心にする。かかる読み方にして、整合性を確実にし、後は、構造では責任分担している、柱や梁や壁やスラブ等に限定し、設備では、電気の設備、衛生の設備、空調の設備という形で責任範囲であるということを限定する。それ以外は建築のところとやりとりをするために、それぞれの１個１個のオブジェクトが往来される。
【００３５】
以上のように文字情報（ＤＢ情報）で記述したデータをやり取りして、属性付き３次元のデータ交換を実現し、読み込むＣＡＤ側ではその情報をもとに属性・絵柄を再現することが必要である。それには、相互の位置関係のオブジェクトを合致させることになるが、そのために、基準原点・通芯の出力・調整を行う。各系が通芯の全ての情報（記号、始点・終点の座標）を出力する。各図面単位に通芯情報を出力する。
【００３６】
読み込み側は、相手の通芯の３本（平行な２本とクロスする１本。例えばＸ１，Ｘ２，Ｙ１）の交点から相手の通芯の位置とベクトルを確定し、自分の通芯と比較して調整を行い部材を配置する。この対応は例えば、建築・構造がそれぞれ１対１でモデルを作成する場合に適用される。
【００３７】
図１７に示すように、Ｘ１，２，３，４，５、Ｙ１，２，３というように建物を記述する通芯が実際のデータ上にあるとして、そのデータをお互いに書き出しておいて、位置関係は開始点を定め、例えばＸ１，２，Ｙ１との任意の３本取り出すことにより、交点の座標を特定でき、その交点の座標と実際にそこに書かれているものをプログラムの中で比較し、相手側のデータベース上には相対的な位置があるので、その相対的な位置を割り出して自分の中のＸ１，２，Ｙ１に読み替えて、その点の相対位置をプログラム上計算した結果として出力する。
【００３８】
図１８に示すように通芯が分かれている場合でもデータ上は１つであるので任意の３本取り出せれば問題なく、図１９に示すように自モデルと相手モデルの関係が１対１でない場合でもそれぞれの任意の３本取り出せれば問題ない。さらに図２０に示すように円弧の通芯の場合も中心位置と半径が特定されれば、相対位置は特定できる。
【００３９】
まず、建築ＤＢ−ＣＡＤ１０と設備ＤＢ−ＣＡＤ１１間の連携について説明する。図３、図４に示すように建築・設備間の干渉チェックとして設備ＤＢ−ＣＡＤ１１から建築ＤＢ−ＣＡＤ１０には、設備３Ｄ情報（設備の立体的な情報）を与え、これに対して建築ＤＢ−ＣＡＤ１０から設備ＤＢ−ＣＡＤ１１には、３Ｄ干渉情報を返す。設備ＤＢ−ＣＡＤ１１からデータベースを通して、建築ＤＢ−ＣＡＤ１０の方に設備を再現するような形で、記述したものに対して、建築側で何と何がぶつかっているというような干渉情報を返してもらい、もう一度設備の方で不具合の部分を直す。
【００４０】
具体的には設備３Ｄ情報の建築への連携（設備ＤＢ−ＣＡＤ１１→建築ＤＢ−ＣＡＤ１０）として、設備ＤＢ−ＣＡＤ１１で作成した総合図から、照明器具、空調機器、衛生機器・器具、配管、ダクトのサイズ、座標、ファイル名称、ファイルパス、図形番号（ＩＤ）等の情報を設備３Ｄデータベース（ＥＰＭ＿ＤＡＴ．ｍｄｂ）に書き出す。
【００４１】
このデータを建築ＤＢ−ＣＡＤ１０に取り込み、３次元の設備部材としてデータを生成させる。これにより建築ＤＢ−ＣＡＤ１０上で設備部材の布設状況の確認や、建築部材との干渉チェックを効果的に行うことが可能となる。
【００４２】
設備３Ｄデータ作成方法としては、（１）電気、衛生、空調の各図面を重ね合わせ、図１２に示すような設備の総合図を作成する。（この時点で設備内での総合調整は完了している。）  （２）設備３Ｄデータ作成ボタンを押し、（３）ダイアログが出てくるので、参照ボタンを押して出力先フォルダを決定する。（４）次に出力ファイル名を入力し、（５）出力対象データの階を入力する。（６）準備ができたらＯＫボタンを押すと指定した場所に設備３Ｄデータが作成される。このデータを建築ＤＢ−ＣＡＤ１０に連携する。
【００４３】
次に干渉情報の設備への連携（建築ＤＢ−ＣＡＤ１０→設備ＤＢ−ＣＡＤ１１）として、建築ＤＢ−ＣＡＤ１０では３Ｄ連携により取り込んだ設備部材と柱、梁、壁、天井等の建築部材との干渉チェックが部位ごとに行える。さらに、この干渉チェックで抽出された設備部材の図形番号（ＩＤ）、ファイル名称、ファイルパス等の情報を建築ＤＢ−ＣＡＤ１０からテキストファイルで外部へ出力する。
【００４４】
図２１は例は異なるが、建築ＤＢ−ＣＡＤ１０における設備部材の取り込みを示す画面で、設備部材との干渉を行いたい部分の設備ＤＢ−ＣＡＤ１１のＭＤＢを受け取る場合の画面を示すものである。
【００４５】
建築ＤＢ−ＣＡＤ１０でメニューバーの「連携／配管ダクト連携／設備ＤＢ読込」を選択し、次いで設備設計担当者から受け取ったＭＤＢを読込み、「図面名称」、「階」を確認して、読み込む「対象部材」を選択する。その結果、図２２に示すように、任意の通芯の交点を基準に設備ＤＢ−ＣＡＤ１１の部材が配置される。
【００４６】
設備部材が取り込まれるレイヤ      ・電気設備：ＣＨＣＫ−Ｅ
・衛生設備：ＣＨＣＫ−Ｐ
・空調設備：ＣＨＣＫ−Ｍ
【００４７】
図２３は設備部材と建築部材との干渉チェックを示す画面であり、建築ＤＢ−ＣＡＤ１０でメニューバーの「連携／配管ダクト／干渉チェック」を選択し、「チェック対象建築部材」と「チェック対象設備部材」を選択して「干渉チェック」を押す。これにより図２４に示すように「干渉部材ＩＤ」に干渉している建築部材と設備部材の「部材」と「ＩＤ」が表示される。
【００４８】
図２５に示すように平面図上で建築部材と干渉している設備部材が赤く表示されるので、干渉チェック画面の干渉部材を選択すると、選択された部材が平面図上でも選択される。
【００４９】
これに対して設備側からの説明を行うと、設備ＤＢ−ＣＡＤ１１でも干渉情報を読み込み、どの図面のどの設備部材が建築と干渉しているのか容易に確認することが可能となる。
【００５０】
３Ｄ干渉データ取り込み方法の概要を説明すると、（１）干渉データ取込コマンドを実行し、建築ＤＢ−ＣＡＤ１０から出力された干渉情報を読み込むと、（２）干渉情報確認画面が表示され、（３）干渉情報確認画面の中には階ごとの干渉部材の総数が表示される。（４）操作者は確認したい階を選択し、確認ボタンを押す。（５）確認ボタンを実行すると、対象となる図面データが自動的に開かれ、干渉部材の色が変わって表示される。以上の操作により、建築部材と干渉した設備部材が設備ＤＢ−ＣＡＤ１１側で容易に特定可能となる。
【００５１】
また、建築ＤＢ−ＣＡＤ１０から設備ＤＢ−ＣＡＤ１１には図５に示すように、図面を書き始める時の平面図や室エリアや室名称や天井高、床高、躯体情報等のプラン情報を与え、設備ＤＢ−ＣＡＤ１１の方でそれをもとに図面を書き始めることができる。
【００５２】
このような建築情報の設備への連携（建築ＤＢ−ＣＡＤ１０→設備ＤＢ−ＣＡＤ１１）としては、建築ＤＢ−ＣＡＤ１０で作成された３次元のモデリングデータから、各フロア単位の平面図データ（ＤＷＧデータ）で切り出し、設備ＤＢ−ＣＡＤ１１に取り込む。
【００５３】
平面図データ取り込み方法の説明をすると、図１３に示すように、（１）ファイルを開くアイコンをクリックしＤＷＧデータを選択する。この場合、ファイルの種類は、ＤＷＧ図面（＊．ｄｗｇ）を選ぶ。編集するＤＷＧ図面を選択すると、ＤＷＧインポート画面が表示され、ここで、まず変換テーブルを選択する。
【００５４】
変換テーブルを選択したら、「配置レイヤ」が「建築」に設定されているか確認し、次に「用紙サイズ」、「縮尺」を合わせ、設定が完了すれば「ＯＫ」をクリックすれば、建築図が開かれる。これによりレイヤの統合化、線色の単一化など設備用の建築図として加工し易いようデータ変換が行われる。
【００５５】
設備ＤＢ−ＣＡＤ１１にはＤＷＧインポートテーブルの他にＤＸＦデータやＣＡＤ  Ｗｅ’ｌｌデータを効率良く読み込むための変換テーブル（図１５参照）が標準で用意されている。
【００５６】
次に、建築ＤＢ−ＣＡＤ１０から取り込んだ室名、室エリアを、設備ＤＢ−ＣＡＤ１１で認識できるようシート移動を行う。
まず、（２）レイヤＮＯ．を選択し「ＯＫ」を押す。（３）「設定」−「シート機能」−「移動複写」を選択するか、またはシートタブ上で右クリックし表意されたメニューから「移動複写」を選択し、（４）ダイアログが表示されるので、モード：「移動（Ｍ）」，移動先：「室エリア」を選択し「ＯＫ」を押す。（５）指定点を入力してください。（Ｅｎｔｅｒ：同じ位置）  と表示されるので、そのまま「Ｅｎｔｅｒ」を押す。これでベースシート上にあった室名、室エリアの情報が室エリアシート上に移動され、（６）同様に、室エリアシート上にある室名を室名シートに移動する。移動させたい文字を選択後「設定」−「シート機能」−「移動複写」を選択すると先程のダイアログが表示されるので、モード：「移動（Ｍ）」，移動先「室名」を選択し「ＯＫ」を押す。これで室エリアシート上にあった室名の情報が室名シート上に移動される。
【００５７】
（７）エリアは設備ＤＢ−ＣＡＤ１１として使用する場合には必要であるが、出力時には印刷する必要はないので、すべて補助図形化する。Ｓｈｉｆｔキーを押したままシートタブをすべて選択する。（８）シートタブが黒く反転表示された状態で、マウスを右クリックすると、ダイアログの非表示を選択する。（９）選択されたシートのみ編集可能となるので、室エリアシートのタグをクリックし、図１４に示すように室エリアのみ表示する。
【００５８】
（１０）メニューの「設定」−「色、線」−「変更」を選択する。「図形を選択してください。」と表示されるので、すべての図形をマウスで囲み選択後、キーボードのＥｎｔｅｒを押す。（１１）属性変更ダイアログが表示されるので、線種のリストから補助図形線を選択しＯＫを押す。以上の操作で室エリアが補助図形化される。
【００５９】
ＩＦＣデータによる建築情報の取り込みは、建築ＤＢ−ＣＡＤ１０で作成された室エリア、室名、天井高、床高や柱、梁、スラブ、壁等の躯体情報をＩＦＣデータで出力し、これを設備ＤＢ−ＣＡＤ１１で読み込む。なお、ＩＦＣ（Ｉｎｄｕｓｔｒｙ  Ｆｏｕｎｄａｔｉｏｎ  Ｃｌａｓｓｅｓ）とは、建物を構成するオブジェクト（例えば、ドア・窓・壁などのような要素）を異なるシステム間で取り扱うためのシステム的な表現方法の仕様定義やプロジェクトモデルのデータ構造を提示したものであり、世界標準のデータ構造である。
【００６０】
これにより、従来、構造ＤＢ−ＣＡＤと連携していた柱、梁、スラブ、壁のデータの他に、天井や床、室エリア、室名のデータが建築ＤＢ−ＣＡＤ１０より一括して設備ＤＢ−ＣＡＤ１１に取り込むことが可能となる。
【００６１】
構造ＤＢ−ＣＡＤ１２と設備ＤＢ−ＣＡＤ１１間の連携では、図６、図７に示すように構造ＤＢ−ＣＡＤ１２から設備ＤＢ−ＣＡＤ１１には構造ＤＢコンバータ１３を介して躯体情報を与え、設備ＤＢ−ＣＡＤ１１の設備図作成用のＣＡＤ７内に３次元構造躯体の図を発生させる。構造ＤＢコンバータ１３は構造躯体を設備ＣＡＤ上で発生させる役割をなす。
【００６２】
具体的に説明すると構造データの設備への連携（構造ＤＢ−ＣＡＤ１２→設備ＤＢ−ＣＡＤ１１）の場合、構造ＤＢ−ＣＡＤ１２で作成された柱・梁・スラブ・壁のデータを構造ＤＢコンバータ１３で変換することにより設備ＤＢ−ＣＡＤ１１に取り込むことが可能となる。
【００６３】
構造ＤＢコンバータ１３の変換作業を説明すると、（１）「躯体コンバータ」を起動し、取込み物件指定画面で、ドライブ、ディレクトリ、物件を指定する。（２）対象となるモデルを選択し、ＯＫボタンを押す。（３）次に必要なフロアのデータを指定する。（４）図面名称指定ダイアログで図面番号を指定する。（５）指定した情報を確認する。（変換−図面番号−名称）以降続けて図面指定を行い、指定が完了すれば、ＯＫボタンを押す。（６）中間ファイル作成中のダイアログが表示される。変換が終了すると、情報設定ダイアログが表示される。担当者を記入し、出力装置には変換後のファイルを保存する場所を指定する。さらに物件コードをつける。あらかじめ、構造設計者に用紙サイズと縮尺を確認しておき、それらを指定する。属性変換テーブルはファイル選択にチェックを入れ、ファイルは「ＤＢＣＡＤ用」を選択する。（８）変換完了表示が出る。（９）初期画面に戻るので、終了する場合は、「ファイル」−「終了」を選択する。（１０）エクスプローラーを立ち上げる。変換されたデータは、Ｄ：￥Ｄｒａｗｆｉｌｅ￥Ｉｔｏｅｎ￥の下に生成される。（拡張子．ｄｗｘ）
【００６４】
構造データ取り込み方法を解説すると、構造ＤＢコンバータ１３で変換された構造データを設備ＤＢ−ＣＡＤ１１で読み込む。（１）ファイルを開くアイコンをクリックしＤＷＸデータを選択する。この場合、ファイルの種類は、ＤＷＸ図面（＊．ｄｗｘ）  を選ぶ。
【００６５】
（２）編集するＤＷＸ図面を選択すると、Ｃａｄｗｅｌｌインポート画面が表示される。ここで、まず変換テーブルを選択する。テーブル名：ＷＥＬＴＡＢＬＥ．ｗｅｔを選択する。変換テーブルを選択したら、「配置レイヤ」が「建築」に設定されているか確認し、次に「用紙サイズ」、「縮尺」を合わせる。設定が完了すれば「ＯＫ」をクリックすれば、構造図が開かれる。
【００６６】
以上の作業によって、構造ＤＢ−ＣＡＤ１２で作成されたデータを設備ＤＢ−ＣＡＤ１１上に取り込むための作業が完了する。このデータを建築図と基準点を合わせて重ねる。なお、構造データは用紙出力時には必要ないため、すべて補助図形化する。
【００６７】
一方、設備ＤＢ−ＣＡＤ１１から構造ＤＢ−ＣＡＤ１２には図８に示すように前記躯体情報に対して穴をあける等のスリーブ設備開口情報を返す。前記３次元構造躯体の図に設備の図面を書き込んだ時に、梁や床や壁とかに配管やダクト用の開口情報（スリーブ情報）を構造ＤＢ−ＣＡＤ１２に返却し、開口部の補強を検討する。
【００６８】
もう一つは、構造ＤＢ−ＣＡＤ１２の中に軸組図といって、鉄骨の断面図があり、スリーブをその中に、書き込んでいく。設備ＤＢ−ＣＡＤ１１の方から出したスリーブと開口の情報について、それを再度設備側でもう一回読み込み、その軸組図上に梁スリーブを書き込んでチェックが出来る。
【００６９】
かかるスリーブ・設備開口情報の構造への連携（設備ＤＢ−ＣＡＤ１１→構造ＤＢ−ＣＡＤ１２）をより具体的に説明すると、スリーブ・設備開口情報の作成手順は、１）スリーブ・設備開口作図用の建築図作成、２）スリーブ・設備開口の配置（電気、衛生、空調のスリーブ総合図を作成）、３）図面情報の設定（図面パス、スリーブパス等を設定する。）、４）スリーブ区分の情報付加（  設備区分および種別）、５）スリーブ・設備開口情報出力（ＳＬ＿ＤＡＴ．ｍｄｂを作成）  となる。
【００７０】
図面情報設定方法は、（１）メニュー「設定」−「設備切替」より空調または衛生設備に設定して作業を開始し、（２）メニュー「ファイル」−「開く」、または、「開く」アイコンよりスリーブ・設備開口情報出力用図面ファイルを開き、（３）「図面情報設定」アイコンより「設備ＤＢ−ＣＡＤ図面情報」ダイアログを表示する。（４）「設備ＤＢパス」，「構造ＤＢパス」，図面種類など必要な項目を指定する。この時、図面種類はスリーブ図とする。（５）「階」および「階順番」を指定する際には「構造ＤＢ参照」ボタンを押すことにより、構造ＤＢを参照し、階順番を確認することができる。
【００７１】
スリーブ、設備開口データ作成方法を説明すると、（１）メニュー「空調」−「部材」−「挿入」または、「機器・部材挿入」アイコンより「部材挿入」ダイアログを表示する。（２）「スリーブ」タグを選択し、挿入部材，分類１，２ふかしなど必要な項目を記入し「ＯＫ」ボタンを押す。（３）コマンド入力バーに「挿入位置（直管）を指定して下さい」と表示されるので、挿入位置を指定する。（４）コマンド入力バーに「終点（直管）を指定して下さい」と表示されるので、終点を指定する。（５）コマンド入カバーに「向きを決定して下さい（  Ｅｎｔｅｒ：選択終了）、Ｓｈｉｆｔ＋左クリック：変更」と表示されるので、向きを決定しＥｎｔｅｒを押す。これでスリーブが挿入される。（６）次に「スリーブ区分付加」アイコンを押す。（７）「区分を付加するスリーブを選択して下さい」と表示されるので、スリーブを選択後Ｅｎｔｅｒを押す。この時、スリーブに対してＩＤ番号が自動的に振られる。（８）「設備ＤＢ−ＣＡＤスリーブ区分」ダイアログが表示されるので、選択したスリーブの設備区分と種別をチェックする。設備区分を指定したスリーブには、右下にＭ（Ｓ）のように、設備区分と種別が補助図形文字で表示される。
【００７２】
（９）スリーブ情報の付け忘れをチェックしたい場合は、チェックコマンドを起動して、４項目目のスリーブチェックを指定する。コマンドを実行後、スリーブ区分の情報が付加されていないものは赤く色が変わって表示される。チェックされた部材にはすべで情報を付加する。（１０）図面の作図はすべて完了したら、図面を保存する。保存と同時に、スリーブ情報を指定した設備ＤＢパス上にあるデータベース（ＳＬ＿ＤＡＴ．ｍｄｂ）  にスリーブ・設備開口情報が書き込まれる。
【００７３】
スリーブ、開口情報データ出力を説明すると、（１）機器器具ＤＢを起動し、対象工事の編集メニューから「スリーブ・設備開口出力」を選択し、「スリーブ・設備開口出力」ダイアログを表示する。（２）ダイアログが表示されるので、データ保存先を指定して、「実行」ボタンを押す。（３）確認メッセージが表示されるので、よければ「はい」ボタンを押す。（４）終了メッセージが表示されるので、「ＯＫ」ボタンを押すと編集メニューの画面にもどり、出力作業は終了する。以上の作業で作成されたデータベースファイル（ＳＬ＿ＤＡＴ．ｍｄｂ）  を躯体図作成ＣＡＤや鉄骨ＣＡＤで読み込み、スーブ・設備開口情報を自動的発生させる。
【００７５】
軸組図の作成としては、設備ＤＢ−ＣＡＤ１１で作成したスリーブ・設備開口データベース（ＳＬ＿ＤＡＴ．ｍｄｂ）を解析し、スリーブデータを軸組図に自動的に重ね合わせる。軸組図作成方法は、（１）構造ＤＢ−ＣＡＤ１２で作図された軸組図を開く。構造ＤＢは各種データを格納するフォルダ構成が体系化されている。軸組図のデータはＭＯＤＥＬフォルダの下のＦＲＡＭＥフォルダにＤＷＧデータで格納されている。（２）なお、ＬＡＹＦＲＭ＊．ｄｗｇの内容の説明にはＭＤＢフォルダの中のＤｒａｗｉｎｇ．ｍｄｂの中に記載されている。（３）Ｄｒａｗｉｎｇ．ｍｄｂをダブルクリックすると一定のダイアログが開く。この中のＰｌａｎＦｒａｍｅＴｂｌを開く。（４）図面のＤＷＧファイル名（ＦｒａｍｅＮｏ）と図面名称（何通りの軸組図なのか）の関係がこのテーブルで確認できる。なお、このテーブルのＤＷＧファイル名はすべて３Ｄ用データの名称で記載されている。これを２Ｄ用のデータ名称と置き換えて図面を選択する。例えば、下図でＤ通り軸組図はＦＲＡＭＥ７．ｄｗｇと記載されているが、この場合、設備が開くデータはＬＡＹＦＲＭ＊．ｄｗｇとなる。（ＦＲＡＭＥ．ｄｗｇとＬＡＹＦＲＭ＊．ｄｗｇは１対１で対応している。）（５）内容が確認できたら、対象となる構造の軸組図を開く。（６）軸組図作成コマンドを実行する。
【００７６】
（７）スリーブＤＢパスと構造ＤＢパスを指定する。１）スリーブＤＢパスはスリーブ図の図面情報設定画面で設定したフォルダを指定する。２）構造ＤＢパスはスリーブ図用に変換した構造ＤＢのＭＤＢフォルダを指定する。参照ボタンを押して、フォルダを指定し、設定できればＯＫを押す。
【００７７】
（８）該当する軸に対する各階のスリーブデータが画面上に現れる。マウスを操作して、軸組図の最下階のＦＬラインと最左の通芯の交点に配置基準点を指定する。以上の操作により、設備ＤＢＣＡＤで作成した各階のスリーブ情報が指定した軸組図に重なる。
【００７８】
設備→構造連携の手順では、設備担当者が設備ＤＢ−ＣＡＤで入力した配管ダクト等の躯体貫通個所のデータを出力する。このデータには、建物全体について、配管ダクト等が構造躯体を貫通する個所の位置情報と、躯体貫通孔形状・寸法が記されている。
【００７９】
構造担当者は「設備貫通孔データ取り込み」コマンドで該当ファイルを指定すると、上記の情報が、構造ＤＢ−ＣＡＤのキーフレームに記述され、かつ、伏図・軸組図に設備貫通孔が自動作図される。
【００８０】
建築ＤＢ−ＣＡＤ１０と構造ＤＢ−ＣＡＤ１２間の連携では、図９に示すように主として躯体情報（建物形状情報、建物部材情報、建物断面情報等）〔構造躯体部分〕の往来と、最後に「重ね合わせ」ということをやって、お互いが躯体情報の相互が完全に一致しているかどうかを確認する。
【００８１】
建築と構造の双方で構造躯体と称していても、構造側での躯体に対して、建築側での躯体は化粧がのっかっている部分があるという差異がある。例えば、壁面のふかしのコンクリートの存在や仕上げのコンクリートの存在、さらに、開口部分の細かいところではサッシ等の収まりを考慮しなければならないが、構造としては大きな穴の存在のみで足りる。建築の方がより細かいものとなる。
【００８２】
更に詳しく説明すると、構造ＤＢ−ＣＡＤ１２の情報を、建築ＤＢ−ＣＡＤ１０の方で読み込み、建築ＤＢ−ＣＡＤ１０で書いてある躯体そのものと重ね合わせる。例えば、建築そのものがかいてあるところが赤で、構造から取り入れた部分が青で、それを重ねた図が、これが建築ＤＢ−ＣＡＤ上で、構造の情報も含めて重ね合わせたものとなる。細かいディテールは、建築が優先されていて、仕上げ等の部分については、構造躯体には関係ないので、床の部分で見ると、赤い部分が出ているのは、床仕上げがのっている部分である。薄く赤い部分が表面に出ているが、壁のコンクリートの「ふかし」という部分があり、この部分は細かい部分までチェック可能で、建築の方の化粧がきちんと明示される。
【００８３】
図１１は、その逆に構造ＤＢ−ＣＡＤ１２側の方に建築ＤＢ−ＣＡＤ１０の方から情報を得ることを示す。合成されたものの赤い線が壁の芯であり、そのまわりに黄色い壁の線があり、赤い部分が、建築ＤＢ−ＣＡＤ１０からの部分を重ね合わせた部分で、Ｃ１の近くでは窓等の開口があるが、建築と構造でずれていて、不整合が生じている。
【００８４】
基本的には、窓の位置の不整合があったというより、設計が煮詰まっていく段階で建築の方が窓の大きさだとか位置とかを少し変更した場合に、それを照合して構造の訂正を行うような場合のチェック図になっている。
【００８５】
建築担当者が建築ＤＢ−ＣＡＤで入力した３次元建物モデルを、１つのＩＦＣファイルとして出力する。
【００８６】
構造担当者が構造ＤＢ−ＣＡＤの「建築モデル取り込み」コマンドによって建築のＩＦＣファイルの情報を取り込む。この結果、構造ＤＢ−ＣＡＤで定義された建物範囲の建築の部材情報（柱・梁・壁・壁開口・スラブ・床開口）が構造ＤＢ−ＣＡＤに取り込まれると共に、建築の部材データに基づき構造ＤＢ−ＣＡＤの各階伏図に建築情報による各部材の作図を自動的に行う。この作図は本来の構造ＤＢ−ＣＡＤで入力する場合と異なり、各階伏図の建築データ用レイヤに作図される。
【００８７】
従来の方法では、建築で入力したモデルから各階の平面図を階数分の図面ファイルで出力して、階毎に構造ＤＢ−ＣＡＤの伏図ファイルと重ねる作業が必要だったが、この建築モデル取り込み機能により、建物全階分の建築情報が、１回の取り込み指示で構造図との照合に必要な情報のみが正確に重なった状態で表示できるので、建築構造間の情報整合確保の作業が大幅に効率化する。
【００８８】
取り込みが完了後、構造担当者は各階の伏図を開き、「建築部材表示」コマンドにより上記の作図を表示させ、構造ＤＢ−ＣＡＤのコマンドにより既に入力されている構造部材との矛盾の有無を目視で確認する。これも従来は木造間仕切り等の構造とは無関係な情報も表示され照合に時間がかかったが、本機能により建築情報の内の構造躯体のみが表示され、視認性が向上した。
【００８９】
建築情報と構造情報が矛盾する場合、建築情報に合わせて構造部材の修正をする場合が多いが、構造情報の方が優先される場合は、矛盾を生じている個所と内容を建築担当者に連絡し、処置を協議する。
【００９０】
壁開口については、「建築開口情報取り込み」コマンドにより、建築開口情報を構造ＤＢ−ＣＡＤの３次元モデルに取り込み、伏図・軸組図に建築開口として表示して、それまでに入力されていた構造開口と照査し問題がなければ、建築開口を構造開口と置き換える。置換の方法は個別・複数・全部・各階・複数階等選択できる。これに伴い構造ＤＢＣＡＤのキーフレーム（３次元モデル）の壁開口と、躯体ＤＢの壁開口配置データを置換し、躯体ＤＢの壁開口断面リストに追記する。これにより構造設計図と建築設計図との情報整合を容易に実現する。
【００９１】
建築と構造の連携システムについて更に説明すると、一例として図２６に示すように構造ＤＢ−ＣＡＤ１２のＭＤＢを構造設計担当者から受け取り、メニューバーの「連携／構造ＤＢ連携／構造ＤＢ読込」を選択する。
【００９２】
構造設計担当者から受け取ったＭＤＢを読込み、「構造ＤＢファイル」、「階」を確認して、読み込む「対象部材」を選択しＯＫする。
【００９３】
建築と構造のそれぞれの通芯情報から位置調整を行って、構造部材が配置される取り込まれた構造部材のハッチ（塗りつぶし）の色が例えば青色（ペン番号：８）で表示される。（図２７参照）
【００９４】
構造部材と建築部材の干渉チェックは図２８に示すものであるが、メニューバーの「連携／構造ＤＢ連携／干渉チェック」を選択し、チェック対象部材を選び、「干渉チェック」ボタンを押すと、図２９に示すように「干渉部材ＩＤ」に干渉している建築部材と構造部材とチェック結果が表示される。
【００９５】
図３０に示すように、平面図上で建築部材と干渉している構造部材が、赤く表示される。
・３Ｄ表示にすると構造部材の外形ラインが、赤く表示されている。
・開口が違う（位置、大きさの違い）場合は、開口が存在する壁が青く表示される。
【００９６】
図３１に示すように、「干渉チェック」画面の干渉部材を選択すると、選択された部材が平面図上でも選択される。「チェック結果」は、干渉している部分を画面上で確認し、構造設計担当者と打ち合わせる。
【００９７】
【発明の効果】
以上述べたように本発明の統合データベースＣＡＤシステムは、ＣＡＤの情報連携機能を開発することにより、情報が一元化され，整合がおのずから取れる、あるいは照合の作業の効率化が図られることにより整合性が高まる効果が期待できるものである。
【図面の簡単な説明】
【図１】  本発明の統合データベースＣＡＤシステムの１実施形態を示す情報の流れを示す説明図である。
【図２】  本発明の統合データベースＣＡＤシステムの１実施形態を示す概念説明図である。
【図３】  建築ＤＢ−ＣＡＤ１０と設備ＤＢ−ＣＡＤ１１間の連携を示す説明図である。
【図４】  建築・設備間のチェック説明図である。
【図５】  プラン情報・躯体情報連携説明図である。
【図６】  構造ＤＢ−ＣＡＤ１０と設備ＤＢ−ＣＡＤ１１間の連携を示す説明図である。
【図７】  構造ＤＢコンバータ（構造→設備）の説明図である。
【図８】  スリーブ開口情報の連携（設備→構造）の説明図である。
【図９】  建築ＤＢ−ＣＡＤ１０と構造ＤＢ−ＣＡＤ１１間の連携を示す説明図である。
【図１０】  建築情報の取り込み（建築→構造）の説明図である。
【図１１】  躯体情報の取り込み（構造→建築）の説明図である。
【図１２】  設備の総合図である。
【図１３】  ＤＷＧデータの選択画面を示す図である。
【図１４】  室エリアの表示図である。
【図１５】  変換テーブルの説明図である。
【図１６】  図面指定の画面図である。
【図１７】  基準原点・通芯の出力・調整を示す説明図である。
【図１８】  基準原点・通芯の出力・調整を示す通芯が分かれている場合の説明図である。
【図１９】  基準原点・通芯の出力・調整を示す自モデルと相手モデルの関係が１対１でない場合の説明図である。
【図２０】  基準原点・通芯の出力・調整を示す円弧の通芯の場合の説明図である。
【図２１】  設備部材の読込みの画面を示す正面図である。
【図２２】  任意の通芯の交点を基準に設備ＤＢ−ＣＡＤの部材が配置されることを表示した説明図である。
【図２３】  設備部材と建築部材の干渉チェックの画面を示す正面図である。
【図２４】  設備部材と建築部材の干渉関係を示す説明図である。
【図２５】  干渉の表示説明図である。
【図２６】  構造部材の読込みの画面を示す正面図である。
【図２７】  建築と構造が重なっている状態と読込んだ構造部材のみの表示を示す説明図である。
【図２８】  構造部材と建築部材との干渉チェックの画面を示す正面図である。
【図２９】  構造部材と建築部材との干渉チェックの操作説明図である。
【図３０】  干渉状況の表示を示す説明図である。
【図３１】  干渉チェック画面の干渉部材選択の説明図である。
【図３２】  建築系３Ｄ−ＣＡＤシステムの説明図である。
【図３３】  設備系ＤＢ−ＣＡＤシステムの説明図である。
【図３４】  構造系ＤＢ−ＣＡＤシステムの説明図である。
【符号の説明】
１…建築系３Ｄ−ＣＡＤ            ２…独自のＤＢ
３…関連システム                  ４，５…インターフェース
６…設備図作成用のＣＡＤ          ７…パソコン
８…構造ＤＢ−ＣＡＤ              １０…建築ＤＢ−ＣＡＤ
１１…設備ＤＢ−ＣＡＤ            １２…構造ＤＢ−ＣＡＤ
１３…構造ＤＢコンバータ
【図１】
0003859487.tif 000002
【図２】
0003859487.tif 000003
【図３】
0003859487.tif 000004
【図４】
0003859487.tif 000005
【図５】
0003859487.tif 000006
【図６】
0003859487.tif 000007
【図７】
0003859487.tif 000008
【図８】
0003859487.tif 000009
【図９】
0003859487.tif 000010
【図１０】
0003859487.tif 000011
【図１１】
0003859487.tif 000012
【図１２】
0003859487.tif 000013
【図１３】
0003859487.tif 000014
【図１４】
0003859487.tif 000015
【図１５】
0003859487.tif 000016
【図１６】
0003859487.tif 000017
【図１７】
0003859487.tif 000018
【図１８】
0003859487.tif 000019
【図１９】
0003859487.tif 000020
【図２０】
0003859487.tif 000021
【図２１】
0003859487.tif 000022
【図２２】
0003859487.tif 000023
【図２３】
0003859487.tif 000024
【図２４】
0003859487.tif 000025
【図２５】
0003859487.tif 000026
【図２６】
0003859487.tif 000027
【図２７】
0003859487.tif 000028
【図２８】
0003859487.tif 000029
【図２９】
0003859487.tif 000030
【図３０】
0003859487.tif 000031
【図３１】
0003859487.tif 000032
【図３２】
0003859487.tif 000033
【図３３】
0003859487.tif 000034
【図３４】
0003859487.tif 000035